(57)【要約】【課題】  巻き癖を有し水切れがよく、耐久性に優れた洗顔泡立て具を簡単に製造できる洗顔泡立て具の製造方法を提供できるようにする。      【０００６】【課題を解決するための手段】  上記目的を達成するために、本発明にかかる洗顔用泡立て具の製造方法は、先ず、弾性を有する合成樹脂で連続発泡させた発泡体に、一端部が外周に連通する渦巻状のスリットを形成することにより、自由状態で渦巻状になるようにしたことを最も主要な特徴とする渦巻型洗顔用泡立て具の製造方法である。水切れや乾燥が速く、腐食や耐久性に優れ、衛生的で、汎用性に富む泡立て具を提供できるようにすることを目的とするものである。【解決手段】  弾性を有する合成樹脂発泡体からなるものであって、合成樹脂発泡体は連続発泡で全体が略円形若しくは楕円形に形成され、略円形若しくは楕円形の外周の一端部から渦巻き状にスリットを形成したものである。【選択図】  図１
2005349223.tif 000002
【特許請求の範囲】
【請求項１】
弾性を有する合成樹脂で連続発泡させた発泡体に、成型手段により一端部が外周に連通する渦巻状のスリットを形成することにより、自由状態で渦巻状になる渦巻型洗顔用泡立て具の製造方法。
【請求項２】
スリットが円形若しくは楕円形又は多角形に形成されたことを特徴とする請求項１に記載の洗顔用泡立て具の製造方法。
【発明の詳細な説明】
【技術分野】
【０００１】
本発明は主として洗顔時等にミクロな泡を形成するための洗顔用泡立て具の製造方法に関するものである。
【背景技術】
【０００２】
一般に、洗顔する場合に使用する洗顔用フォームは、石鹸やチューブから絞りだしたペースト状の洗剤を手に取り、両手を合せた状態ですり合わせることにより細かな泡を形成するようにしており、この手の平で形成された泡を顔に塗って洗浄するようにしている。
【０００３】
上記のように両手を擦り合わせて泡を形成する場合、合わされた両手の中に空気が入りにくく、泡を形成しにくいという問題があり、こうした問題に対処するために、合成樹脂製ネットに石鹸等の洗剤をつけてからネットを揉んでネット内に泡を形成し、このネットを扱いて内部の泡を取り出してこれを使用するようにしたものがある。
【０００４】
上記の合成樹脂製ネットを使用して洗顔用フォームを形成する場合、合成樹脂製ネットが石鹸等の水分の保持力が少なく、再々水分の補給をしなくてはならず、手間がかかるだけでなく、泡立ちも充分とはいえないという問題があった。
【０００５】
そこで、保水性を有し、泡立ちのよい垢擦り具として、帯状スポンジ板に補強布を貼着し、その上に長手方向に伸張させた帯状スポンジを貼着させることにより巻き癖を付与させるようにしたものが知られている。（特許文献１）
この公報に記載された垢擦り具は、帯状スポンジ板に補強布を貼着し、その上に長手方向に伸張させた帯状スポンジを貼着させた３層構造にすることにより巻き癖を付与させるようにして製造したものである。
【０００６】
ところが上記公報に記載の垢擦り具では貼着により３層に形成するときに、一つの層を伸張させた状態で貼着しなくてはならず、手間がかかり生産性も悪く、高価なものになってしまうという問題があった。
【０００７】
また、公報に記載のものでは、補強布の両面に帯状スポンジ板を貼着するようにしてあり、補強布や接着剤等が泡立てや水切り時に中間の補強布が障壁となるために泡立ちや水切れも悪くなってしまう等の問題もあった。
【特許文献１】実公昭３０−１０９４９号公報
【発明の開示】
【発明が解決しようとする課題】
【０００８】
本発明は、巻き癖を有し水切れがよく、耐久性に優れた洗顔泡立て具を簡単に製造できる洗顔泡立て具の製造方法を提供できるようにすることを目的とするものである。
【課題を解決するための手段】
【０００９】
上記目的を達成するために、本発明にかかる洗顔用泡立て具の製造方法は、弾性を有する合成樹脂で連続発泡させた発泡体に、一端部が外周に連通する渦巻状のスリットを形成することにより、自由状態で渦巻状になるようにしたことを最も主要な特徴とする渦巻型洗顔用泡立て具の製造方法である。
【００１０】
次に、本発明にかかる洗顔用泡立て具の製造方法はスリットが円形若しくは楕円形又は多角形に形成されたことも特徴とするものである。
【発明の効果】
【００１１】
本発明の洗顔用泡立て具の製造方法によれば、スリットを渦巻状に形成するだけで巻癖を付与することができ、手間がかからず簡単に且つ安価に生産できる。
【００１２】
また、合成樹脂で連続発泡させた発泡体の同一素材で形成されるので、公報に記載のもののように、補強布や接着剤等が泡立てや水切り時に中間の補強布が障壁となるために泡立ちや水切れも悪くなることをなくすことができる利点もある。
【００１３】
加えて、合成樹脂で連続発泡させた発泡体の同一素材で形成されるので、公報に記載されているような貼着して３層に形成したもののように貼着面での剥離もなく、耐久性の高い洗顔用泡立て具を製造することができる利点もある。
【発明を実施するための最良の形態】
【００１４】
以下、本発明の洗顔用泡立て具の製造方法にかかる実施の形態を図面に基づいて説明する。
【実施例１】
【００１５】
図１は本発明にかかる洗顔用泡立て具の正面図であって、図中符号１は洗顔用泡立て具を全体的に示す。
【００１６】
この洗顔用泡立て具は、弾性を有する合成樹脂で連続発泡させた発泡体に、一端部が外周に連通する渦巻状のスリットを形成することにより、自由状態で渦巻状になるようにしたものである。
【００１７】
上記渦巻状のスリット５は、例えば渦巻状に形成された切り刃（成型手段）を打抜き用可動板の下面に取り付け、この可動板の下方に設置した固定板に合成樹脂で連続発泡させたシート状の発泡体を載置した後、切り刃を設けた可動板を下降させて、図１に示す洗顔用泡立て具を形成する。
【００１８】
尚、一般的なカッティング方式や糸鋸やレーザ等の周知の成型手段でスリット５を形成することも出来る。
【００１９】
斯くして形成された洗顔用泡立て具１は、シート状の発泡体を成形手段で形成されていることから、自由状態では渦巻状に巻き込まれるようになっている。これにより別段の巻き癖付与部材を施す必要がなくなる。
【００２０】
略円形に形成された合成樹脂発泡体２には、その一側部３から渦巻き状のスリット４が形成されるとともに、始端部には円形の透孔５が穿設されて全体としてカタツムリを模した形状になっている。
【００２１】
上記のように形成された洗顔用泡立て具１の使用手順を次に説明する。
【００２２】
先ず、全体が略円形に形成された洗顔用泡立て具１を手６にとり、これを水や湯で湿らせてから石鹸を塗り、図２に示すように両手６・６でよく揉み、上述したように合成樹脂発泡体２が揉まれ、発泡体２の連続する泡の空間部分の空気が押し出される時に多くの泡を形成するので、多量のミクロの泡が形成される。
【００２３】
すなわち、合成樹脂発泡体２を連続発泡にすると、その連続する空間部分に水や洗剤が保持されるとともに、当該泡の空間部分に水や洗剤の膜が張り、この状態で合成樹脂発泡体２が揉まれると、当該空間部分の空気が押し出される時に多くのミクロの泡が形成されるのである。
【００２４】
このとき、本例では合成樹脂発泡体２にその一側部３から渦巻き状のスリット４を形成し手あることから、このスリット部分からも空気が合成樹脂発泡体２内に入りやすく、多量の泡を簡単に形成することができる。
【００２５】
こうして形成されたミクロの泡が充分に形成されると、この洗顔用泡立て具１を扱いて泡を取り、使用する。
【００２６】
次に、使用済みの洗顔用泡立て具１は、水で良く洗い石鹸分を洗い流した後、乾燥するのであるが、この時始端部に穿設した円形の透孔５部分に吊持具（図示せず）を貫通させて洗顔用泡立て具１を吊持すると、水分を含んだ洗顔用泡立て具１はその自重で図３に示すようにスリット４部分が開き、このスリット４部分からも水分が蒸散することから中心部分までの乾燥が速くなり、雑菌の繁殖も防止でき、衛生的なものとなる。
【００２７】
洗顔用泡立て具１が乾燥して自重が軽くなると、渦巻状に巻き込まれる。したがって、渦巻状になる度合いによって、その乾燥度を知ることもできる。
【００２８】
また、本発明にかかる洗顔用泡立て具の製造方法で形成された洗顔用泡立て具１では、上記のようにミクロの泡を形成するために使用するほかに、図４及び図５に示すようにボディスポンジとしても使用することができる。
【００２９】
即ち、スリット４部分を開いて紐状にしたのち、図４に示すように手６に握りやすい大きさにたたみ、これを手にもって図５に示すように、ボディスポンジとして使用することもできるのである。
【００３０】
尚、上記の実施例では成形手段で形成される洗顔用泡立て具１は、合成樹脂発泡体２を略円形に形成するようにしてあるが、こうしたものに限られず、図示は省略したが、楕円形はもとより多角形にすることもできるのは勿論である。
【図面の簡単な説明】
【００３１】
【図１】は本発明にかかる洗顔用泡立て具の斜視図である。
【図２】は本発明にかかる洗顔用泡立て具の使用状態の斜視図である。
【図３】は本発明にかかる洗顔用泡立て具の乾燥するときの斜視図である。
【図４】は本発明にかかる洗顔用泡立て具をボディスポンジとして使用する時の斜視図である。
【図５】は本発明にかかる洗顔用泡立て具をボディスポンジとして使用していうる状態の斜視図である。
【符号の説明】
【００３２】
１・・・洗顔用泡立て具
２・・・合成樹脂製発泡体
４・・・スリット
【図１】
2005349223.tif 000003
【図２】
2005349223.tif 000004
【図３】
2005349223.tif 000005
【図４】
2005349223.tif 000006
【図５】
2005349223.tif 000007